(57)【特許請求の範囲】
【請求項１】
調理物玩具及び調理器玩具を備えた調理用玩具セットであって、
前記調理物玩具はカップとカップ内に設置される内容物とを備え、前記カップには、調理前の状態である第一状態と調理後の状態である第二状態との間で動作可能となるように前記内容物が取り付けられ、また、前記カップには、前記内容物が前記第一状態から前記第二状態となるように付勢する復元手段と、人手により前記復元手段の付勢力に抗して前記第二状態から前記第一状態に動作させた前記内容物を前記第一状態に保持可能で、外部操作によりその保持を解除可能な保持手段とが設けられ、
前記調理器玩具は、前記調理物玩具の設置部分とその外側の環帯状部分とを備えたオーブンレンジ玩具として構成され、前記調理器玩具には、前記環帯状部分を回転動作させる動作手段と、前記環帯状部分の回転動作によって、前記内容物が前記第一状態にある前記調理物玩具を設置した後所定時間経過した後に前記保持手段を外部操作して前記内容物の保持を解除させる操作手段とが設けられている、
ことを特徴とする調理用玩具セット。
【請求項２】
前記内容物は、前記カップに対して、前記第一状態として下降状態を取り、前記第二状態として上昇状態を取ることを特徴とする請求項１記載の調理用玩具セット。
【発明の詳細な説明】
【０００１】
【発明の属する技術分野】
本発明は、調理用玩具セットに関するものである。
【０００２】
【従来の技術】
従来の調理器玩具として、オーブンレンジ玩具が知られている。このオーブンレンジ玩具は、電源（電池）及びこの電源によって作動するモータを有し、このモータでターンテーブルを回転駆動させるような構造であった。
【０００３】
【発明が解決しようとする課題】
前記オーブンレンジ玩具は、ターンテーブルが回転するので実物に近く、それなりに楽しめるものではあったが、調理物玩具の形態が静的なものであってオーブンレンジ玩具で調理をしても、調理物玩具の形態は何ら変わるものではなかった。
【０００４】
本発明は、かかる問題点に鑑みなされたもので、実際に調理をしているかのイメージが醸し出される調理用玩具セットを提供することを目的としている。
【０００５】
【課題を解決するための手段】
請求項１記載の調理用玩具セットは、調理物玩具及び調理器玩具を備えた調理用玩具セットであって、前記調理物玩具はカップとカップ内に設置される内容物とを備え、前記カップには、調理前の状態である第一状態と調理後の状態である第二状態との間で動作可能となるように前記内容物が取り付けられ、また、前記カップには、前記内容物が前記第一状態から前記第二状態となるように付勢する復元手段と、人手により前記復元手段の付勢力に抗して前記第二状態から前記第一状態に動作させた前記内容物を前記第一状態に保持可能で、外部操作によりその保持を解除可能な保持手段とが設けられ、前記調理器玩具は、前記調理物玩具の設置部分とその外側の環帯状部分とを備えたオーブンレンジ玩具として構成され、前記調理器玩具には、前記環帯状部分を回転動作させる動作手段と、前記環帯状部分の回転動作によって、前記内容物が前記第一状態にある前記調理物玩具を設置した後所定時間経過した後に前記保持手段を外部操作して前記内容物の保持を解除させる操作手段とが設けられている、ことを特徴とする。
この調理用玩具セットによれば、内容物を人手により第二状態から第一状態まで動作させ保持手段により調理物玩具を第一状態に保持させた状態で、その調理物玩具を調理器玩具に設置すれば、内容物は所定時間経過後に第二状態となる。したがって、あたかも実物の調理器で調理しているかのイメージが醸し出されることになる。また、この調理用玩具セットによれば、床の一部が回転するので、実物のオーブンレンジを使っているかのようなイメージが醸し出されることになる。
【０００６】
請求項２記載の調理用玩具セットは、請求項１記載の調理用玩具セットにおいて、前記内容物は、前記カップに対して、前記第一状態として下降状態を取り、前記第二状態として上昇状態を取ることを特徴とする。
この調理用玩具セットによれば、第一状態ではカップ内の下降状態を取り、第二状態ではカップ内の上昇状態を取るので、実際の調理物例えばパンケーキの嵩が調理によって増したかのイメージが醸し出されることになる。
【０００９】
【発明の実施の形態】
図１及び図２には本発明に係る調理器玩具が示され、図３及び図４には調理物玩具が示されている。
【００１０】
この調理器玩具１及び調理物玩具２から構成される調理用玩具セットの構造の概略及び遊び方を説明する。
調理器玩具１は、図１及び図２に示すようにオーブンレンジの形状を呈している。一方、調理物玩具２は、図３及び図４に示すように内容物３がカップ４内で浮沈可能に構成され、内容物３はケーキの形状をしている。
【００１１】
そして、この調理用玩具セットで遊ぶには、調理器玩具１のオープンボタン５を押して扉６を開ける。そして、調理物玩具２の内容物３を人手により沈める（図３の状態）。この状態で調理物玩具２を調理器玩具１内に設置し、扉６を閉める。
【００１２】
次いで、オーブンボタン７又はレンジボタン８のいずれかを押してオーブンで使用するかレンジで使用するかを選択する。このオーブンボタン７及びレンジボタン８は択一的にしか押せない。また、一方のボタンを押すと他方のボタンは浮き上がる。この２つのボタンはダミーボタンであり、オーブンボタン７又はレンジボタン８のいずれかを押しても動作には何らの影響もない。
【００１３】
次に、ダイヤル９を回してメニュー選択を行う。メニューは電源オフの状態を含めて４つある。電源オフの状態から右に回してゆくと飲み物、クッキー、ケーキが選択できる。このメニュー選択を行うと、調理器玩具１の作動時間が変えられる。例えば、飲み物の場合には５秒、クッキーの場合には８秒、ケーキの場合には１２秒である。
【００１４】
その後、スタートボタン１０を押す。このボタン１０は押して手を離すと元位置に復帰する。
【００１５】
このようにしてスタートボタン１０が押されると、調理が開始される。調理が開始されると、調理物玩具２の設置部分外側の環帯状のターンテーブル１１が回転する。また、調理室内部のバックボードが発光することになる。そして、スタートボタン１０を押した時からメニューに応じた時間を経過すると、調理物玩具２の内容物３がカップ４内で浮き上がりカップケーキが完成すると共に、調理器玩具１のターンテーブル１１の回転と発光が停止することになる。また、この停止２秒前には調理の終了を知らせる報知音「ピ、ピ、ピ」が鳴る。
【００１６】
続いて、この調理用玩具セットの詳細を説明するが、まず、構造が比較的簡単な調理物玩具２から説明する。
【００１７】
（１）調理物玩具２の構造
カップ４には笠状の内容物３が浮沈可能に入れられている。内容物３はケーキの表皮を模した形態となっている。カップ４内の内容物３の下側には図５に示すようにベローズ（復元手段）１２が設けられている。ベローズ１２の代わりに押しばねを用いることも可能であるが、特にベローズ１２を用いたのは内容物３をカップ４内でゆっくりと浮き上がらせるためであり、これによってカップケーキがゆっくりと膨らむイメージを醸し出している。
【００１８】
ベローズ１２の下側には弁受け口１３が付設され、さらに弁受け口１３の下側には弁受け蓋１４が付設されている。そして、弁受け口１３と弁受け蓋１４によって画成される空間には弁１５が入れられている。そして、このベローズ１２は、内容物３が人手により押された際に縮み、自然状態では膨らむようになっている。
【００１９】
内容物３には２つのロッド１６が垂設されている。この２つのロッド１６の下部は、カップ４内に設けられたロッド受け１７にそれぞれ挿入されている。そして、２つのロッド１６の下端には横断面円形のフック（保持手段）１８が付設されている。このフック１８はロッド受け１７の上端開口１７ａから飛び出さないような大きさに形成され、内容物３がカップ４から脱落しないように工夫されている。
【００２０】
２つのロッド１６は、内容物３が人手により押された際にフック１８が前記ロッド受け１７の下端開口１７ｂから突出するような長さに形成されている。下端開口１７ｂは図６（ｅ）に示すように長穴となっており、内容物３を人手により押し込み、内容物３を少しばかり所定方向に回転させると、フック１８がカップ４の下面に係合するようになっている（図６（ａ））。そして、フック１８のカップ４との係合が外れた際に、ベローズ１２の膨出によって図６（ｂ）〜（ｄ）に示すように内容物３が浮き上がるようになっている。なお、フック１８の下側に形成された円形の凹み１８ａはカップ４を調理器玩具１内に固定するのに利用される。
【００２１】
カップ４の下側の糸尻は下端開口１７ｂを挟んで２つの部分に分断されている。そして、各糸尻部分１９の一端は折曲形成されている。この折曲部１９ａはフック１８のカップ４との係合を解除するのに利用される。
【００２２】
（２）調理器玩具１の構造
調理器玩具３は裏側に電池収納部（図示せず）を有し、この電池収納部には電池が設置される。また、調理室のバックボード裏側には図７に示すように電球２１及びスピーカ２２が設けられている。バックボードの一部は裏面が凹凸状態に形成された透明板２３で構成されている。透明板２３の裏面を凹凸状態にしたのは光を拡散させるためである。スピーカ２２は報知音を出力するためのものである。
【００２３】
また、調理器玩具３の後部にはモータＭが設けられている。そして、このモータＭの回転動力はターンテーブル１１に伝達されるようになっている。すなわち、モータＭは、プーリ２５ａ、ベルト２５ｂ、プーリ２５ｃ及び歯車２５ｄ〜２５ｉを介してターンテーブル１１の周囲の大歯車に連結されている。これらモータＭ、プーリ、歯車及びターンテーブル１１は動作手段を構成する。
【００２４】
さらに、調理器玩具３におけるカップ設置部２６には図８（ａ）、（ｂ）に示すように２つの突起２７が設けられている。この２つの突起２７は前記２つのフック１８に対応した位置に設けられており、２つのフック１８の凹み１８ａに嵌合するようになっている。これによって、カップ４がカップ設置部２６に固定される。また、図８に示すように、カップ設置部２６の周囲に形成される環状の隙間３０には当接部３１が設けられている。この当接部３１は、ターンテーブル１１が回転した際にカップ４の糸尻部分１９の折曲部１９ａに突き当たるようにターンテーブル１１に付設されている。そして、この当接部３１は操作手段を構成し、当接部３１の折曲部１９ａへの突き当たりによって、フック１８のカップ４との係合が解除されるようになっている。
【００２５】
オープンボタン５について説明すれば、図９に示すように、このオープンボタン５の軸５ａはハウジング内に延びており、ドアストッパ３３に当接している。ドアストッパ３３は軸３３ａを中心に往復回転できるように構成され、引きばね３４の働きによって常時軸５ａに当接している。また、ドアストッパ３３の爪３３ｂは、オープンボタン５が押されない場合には、扉６をロックできるようになっており、オープンボタン５が押された場合には、そのロックを解除できるようになっている。なお、同図において符号３４は調理室のサイドボードを示している。なお、扉６のロック状態を検知するためのスイッチＳＷ１が設けられている（図１１参照）。
【００２６】
オーブンボタン７及びレンジボタン８について説明すれば、図１０（ａ）、（ｂ）に示すように、オーブンボタン７の軸７ａに付設された板状部材３６とレンジボタン８の軸８ａに付設された板状部材３７は、軸３８ａを中心にシーソ動作する揺動部材３８の端に係合している。したがって、この２つのボタンのうち一方を押せば他方が突出することになる。また、この揺動部材３８の近くには真ん中が山状に折曲された板ばね３９が設けられている。そして、揺動部材３８の凸部３８ｂはボタンが押された際に、板ばね３９の折曲部を超えるようにように構成されている。これによって、ボタンの押圧状態が維持されると共に、ボタンの押圧時にクリック感が醸し出されるようになっている。
【００２７】
ダイヤル９の裏側にも図１１に示すスイッチＳＷ２が設けられ、スタートボタン１０の裏側にも同図に示すスイッチＳＷ３が設けられている。
【００２８】
以上、本発明の実施形態について説明したが、本発明は、かかる実施形態に限定されるものでなく、その要旨を逸脱しない範囲で種々変形可能であることはいうまでもない。
【００３０】
【発明の効果】
本発明の代表的なものの効果を説明すれば、調理物玩具及び調理器玩具を備えた調理用玩具セットであって、前記調理物玩具はカップとカップ内に設置される内容物とを備え、前記カップには、調理前の状態である第一状態と調理後の状態である第二状態との間で動作可能となるように前記内容物が取り付けられ、また、前記カップには、前記内容物が前記第一状態から前記第二状態となるように付勢する復元手段と、人手により前記復元手段の付勢力に抗して前記第二状態から前記第一状態に動作させた前記内容物を前記第一状態に保持可能で、外部操作によりその保持を解除可能な保持手段とが設けられ、前記調理器玩具は、前記調理物玩具の設置部分とその外側の環帯状部分とを備えたオーブンレンジ玩具として構成され、前記調理器玩具には、前記環帯状部分を回転動作させる動作手段と、前記環帯状部分の回転動作によって、前記内容物が前記第一状態にある前記調理物玩具を設置した後所定時間経過した後に前記保持手段を外部操作して前記内容物の保持を解除させる操作手段とが設けられているので、あたかも実物の調理器で調理しているかのイメージが醸し出されることになる。
【図面の簡単な説明】
【図１】  実施形態に係る調理玩具セットの調理器玩具の扉を閉じた状態の斜視図である。
【図２】  実施形態に係る調理玩具セットの調理器玩具の扉を開いた状態の斜視図である。
【図３】  実施形態に係る調理玩具セットの調理物玩具の第一状態の斜視図である。
【図４】  実施形態に係る調理玩具セットの調理物玩具の第二状態の斜視図である。
【図５】  実施形態に係る調理玩具セットの調理物玩具の断面図である。
【図６】  実施形態に係る調理玩具セットの調理物玩具の第一状態から第二状態への移行状態を説明するための図である。
【図７】  実施形態に係る調理玩具セットの調理器玩具の右側方から見た断面図である。
【図８】  実施形態に係る調理玩具セットの調理器玩具のカップ設置部及びその近傍を示す図である。
【図９】  実施形態に係る調理玩具セットの調理器玩具のオープンボタン及びその近傍を示す図である。
【図１０】  実施形態に係る調理玩具セットの調理器玩具のオーブンボタン及びレンジボタンとその近傍を示す図である。
【図１１】  実施形態に係る調理玩具セットの調理器玩具の電気系統を示す図である。
【符号の説明】
１          調理器玩具
２          調理物玩具
３          内容物
１１        ターンテーブル（動作手段）
１２        復元手段
１７        保持手段
１８        当接部（操作手段）
【図１】
0003827269.tif 000002
【図２】
0003827269.tif 000003
【図３】
0003827269.tif 000004
【図４】
0003827269.tif 000005
【図５】
0003827269.tif 000006
【図６】
0003827269.tif 000007
【図７】
0003827269.tif 000008
【図８】
0003827269.tif 000009
【図９】
0003827269.tif 000010
【図１０】
0003827269.tif 000011
【図１１】
0003827269.tif 000012